(57)【要約】  ワイヤレス通信中に競合する構成パラメータを解決することの態様は、現在のセルから新しいセルへの再選択をトリガすること、新しいセルへの再選択がトリガされたとき、ユーザ機器(UE)が下りアクセスチャネル(FACH)状態に構成されており、ネットワークエンティティからのレイヤ2確認応答(L2 ACK)メッセージを待っていると判定することを含む。さらに、態様は、UEがFACH状態に構成されており、L2 ACKメッセージを待っているとの判定に応じて、衝突解決手順を実施することを含む。いくつかの態様では、衝突解決手順は、再構成手順に対して複数の情報要素(IE)のうちのどれを選択すべきかを確立する。
2018517335.tif 000002
【特許請求の範囲】
【請求項１】
ワイヤレス通信中に競合する構成パラメータを解決する方法であって、
現在のセルから新しいセルへの再選択をトリガするステップと、
前記新しいセルへの再選択がトリガされたとき、ユーザ機器(UE)が下りアクセスチャネル(FACH)状態に構成されており、ネットワークエンティティからのレイヤ2確認応答(L2 ACK)メッセージを待っていると判定するステップと、
前記UEが前記FACH状態に構成されており、前記L2 ACKメッセージを待っているとの前記判定に応じて、衝突解決手順を実施するステップであって、前記衝突解決手順が、再構成手順に対して複数の情報要素(IE)のうちのどれを選択すべきかを確立する、ステップと
を含む方法。
【請求項２】
前記衝突解決手順を実施する前記ステップは、
前記再選択をトリガする前に前記ネットワークエンティティから受信した再構成メッセージに前記新しいセルが含まれていることを確立するステップと、
前記再構成手順に対するセル更新確認メッセージに含まれている新しいセルのIEを前記新しいセルに適用するステップであって、前記セル更新確認メッセージは、前記新しいセルに対するセル更新メッセージをトリガしたことに応じて、前記ネットワークエンティティから受信される、ステップと
をさらに含む、請求項1に記載の方法。
【請求項３】
前記新しいセルのIEに基づき、前記新しいセルに対する前記再構成手順を実施するステップであって、前記UEは、前記再構成手順を実施することに応じて現在のセルから前記新しいセルへと再選択する、ステップをさらに含む、請求項2に記載の方法。
【請求項４】
前記新しいセルのIEを含む追加のセル更新メッセージを、前記新しいセルに対する前記ネットワークエンティティに送信するステップであって、前記追加のセル更新メッセージの再構成状態識別子(RSI)は偽(FALSE)に設定される、ステップをさらに含む、請求項2に記載の方法。
【請求項５】
前記衝突解決手順を実施する前記ステップは、
前記再選択をトリガする前に前記ネットワークエンティティから受信した再構成メッセージに前記新しいセルが含まれていないことを確立するステップであって、前記再構成メッセージは、前記新しいセルおよび前記現在のセルとは異なる第3のセルを含む、ステップと、
前記再構成手順に対する前記再構成メッセージに含まれている第3のセルのIEを前記第3のセルに適用するステップと
をさらに含む、請求項1に記載の方法。
【請求項６】
前記第3のセルのIEに基づいて、前記新しいセルに対する前記再構成手順を実施するステップであって、前記UEは、前記再構成手順を実施することに応じて現在のセルから前記新しいセルへと再選択する、ステップをさらに含む、請求項5に記載の方法。
【請求項７】
前記第3のセルのIEを含む追加のセル更新メッセージを前記第3のセルに対する前記ネットワークエンティティに送信するステップであって、前記追加のセル更新メッセージの再構成状態インジケータ(RSI)が偽(FALSE)に設定される、ステップをさらに含む、請求項5に記載の方法。
【請求項８】
前記衝突解決手順を実施する前記ステップは、
前記再選択をトリガする前に前記ネットワークエンティティから受信した再構成メッセージに前記新しいセルが含まれていないことを確立するステップであって、前記再構成メッセージは、前記新しいセルおよび現在のセルとは異なる第3のセルを含む、ステップと、
前記新しいセルのセル品質が、前記第3のセルのセル品質よりも優れているかどうかを判定するステップと、
前記新しいセルの前記セル品質が前記第3のセルの前記セル品質よりも優れているとき、前記再構成手順に対するセル更新確認メッセージに含まれている新しいセルのIEを前記新しいセルに適用するステップであって、前記セル更新確認メッセージは、前記新しいセルに対するセル更新メッセージをトリガしたことに応じて、前記ネットワークエンティティから受信される、ステップと、
前記新しいセルの前記セル品質が前記第3のセルの前記セル品質よりも優れていないとき、前記再構成手順に対する前記再構成メッセージに含まれている第3のセルのIEを前記第3のセルに適用するステップと、
前記新しいセルの前記セル品質が前記第3のセルの前記セル品質よりも優れているかどうかの前記判定に基づき、前記新しいセルのIE、または前記第3のセルのIEのいずれかを含む追加のセル更新メッセージを前記ネットワークエンティティに送信するステップであって、前記追加のセル更新メッセージの再構成状態インジケータ(RSI)が偽(FALSE)に設定される、ステップと
をさらに含む、請求項1に記載の方法。
【請求項９】
前記新しいセルのIEに基づき、前記新しいセルに対する前記再構成手順を実施するステップであって、前記UEは、前記再構成手順を実施することに応じて現在のセルから前記新しいセルへと再選択する、ステップをさらに含む、請求項8に記載の方法。
【請求項１０】
前記第3のセルのIEに基づき、前記第3のセルに対する前記再構成手順を実施するステップであって、前記UEが、前記再構成手順を実施することに応じて現在のセルから前記第3のセルへとリダイレクトする、ステップをさらに含む、請求項8に記載の方法。
【請求項１１】
前記複数のIEは、無線ネットワーク一時識別子(RNTI)に対応する、請求項1に記載の方法。
【請求項１２】
ワイヤレス通信中に競合する構成パラメータを解決するための装置であって、
データを記憶するように構成されたメモリと、
前記メモリと通信可能に結合された1つまたは複数のプロセッサと
を備え、前記1つまたは複数のプロセッサおよび前記メモリが、
現在のセルから新しいセルへの再選択をトリガすること、
前記新しいセルへの再選択がトリガされたとき、ユーザ機器(UE)が下りアクセスチャネル(FACH)状態に構成されており、ネットワークエンティティからのレイヤ2確認応答(L2 ACK)メッセージを待っていると判定すること、および
前記UEが前記FACH状態に構成されており、前記L2 ACKメッセージを待っているとの前記判定に応じて、衝突解決手順を実施することであって、前記衝突解決手順が、再構成手順に対して複数の情報要素(IE)のうちのどれを選択すべきかを確立する、実施すること
を行うように構成される、装置。
【請求項１３】
前記衝突解決手順を実施するように構成された前記1つまたは複数のプロセッサおよび前記メモリは、
前記新しいセルが、前記再選択をトリガする前に前記ネットワークエンティティから受信した再構成メッセージに含まれることを確立すること、および
前記再構成手順に対するセル更新確認メッセージに含まれている新しいセルのIEを前記新しいセルに適用することであって、前記セル更新確認メッセージは、前記新しいセルに対するセル更新メッセージをトリガしたことに応じて、前記ネットワークエンティティから受信される、適用すること
を行うようにさらに構成される、請求項12に記載の装置。
【請求項１４】
前記1つまたは複数のプロセッサおよび前記メモリは、前記新しいセルのIEに基づき、前記新しいセルに対する前記再構成手順を実施するように構成され、前記UEは、前記再構成手順を実施することに応じて現在のセルから前記新しいセルへと再選択する、請求項13に記載の装置。
【請求項１５】
前記衝突解決手順を実施するように構成された前記1つまたは複数のプロセッサおよび前記メモリは、
前記再選択をトリガする前に前記ネットワークエンティティから受信した再構成メッセージに前記新しいセルが含まれていないことを確立することあって、前記再構成メッセージは、前記新しいセルおよび前記現在のセルとは異なる第3のセルを含むこと、および
前記再構成手順に対する前記再構成メッセージに含まれている第3のセルのIEを前記第3のセルに適用すること
を実施するようにさらに構成される、請求項12に記載の装置。
【請求項１６】
前記1つまたは複数のプロセッサおよび前記メモリは、前記第3のセルのIEに基づいて、前記新しいセルに対する前記再構成手順を実施するように構成され、前記UEは、前記再構成手順を実施することに応じて現在のセルから前記新しいセルへと再選択する、請求項15に記載の装置。
【請求項１７】
前記衝突解決手順を実施するように構成された前記1つまたは複数のプロセッサおよび前記メモリは、
前記再選択をトリガする前に前記ネットワークエンティティから受信した再構成メッセージに前記新しいセルが含まれていないことを確立することであって、前記再構成メッセージは、前記新しいセルおよび現在のセルとは異なる第3のセルを含む、確立すること、
前記新しいセルのセル品質が、前記第3のセルのセル品質よりも優れているかどうかを判定すること、
前記新しいセルの前記セル品質が前記第3のセルの前記セル品質よりも優れているとき、前記再構成手順に対するセル更新確認メッセージに含まれている新しいセルのIEを前記新しいセルに適用することであって、前記セル更新確認メッセージは、前記新しいセルに対するセル更新メッセージをトリガしたことに応じて、前記ネットワークエンティティから受信される、適用すること、
前記新しいセルの前記セル品質が前記第3のセルの前記セル品質よりも優れていないとき、前記再構成手順に対する前記再構成メッセージに含まれている第3のセルのIEを前記第3のセルに適用すること、および
前記新しいセルの前記セル品質が前記第3のセルの前記セル品質よりも優れているかどうかの前記判定に基づき、前記新しいセルのIE、または前記第3のセルのIEのいずれかを含む追加のセル更新メッセージを前記ネットワークエンティティに送信することであって、前記追加のセル更新メッセージの再構成状態インジケータ(RSI)が偽(FALSE)に設定される、送信すること
を行うようにさらに構成される、請求項12に記載の装置。
【請求項１８】
前記1つまたは複数のプロセッサおよび前記メモリは、前記新しいセルのIEに基づき、前記新しいセルに対する前記再構成手順を実施するように構成され、前記UEが、前記再構成手順を実施することに応じて現在のセルから前記新しいセルへと再選択する、請求項17に記載の装置。
【請求項１９】
前記1つまたは複数のプロセッサおよび前記メモリは、前記第3のセルのIEに基づき、前記第3のセルに対する前記再構成手順を実施するように構成され、前記UEが、前記再構成手順を実施することに応じて現在のセルから前記第3のセルへとリダイレクトする、請求項17に記載の装置。
【請求項２０】
ワイヤレス通信中に競合する構成パラメータを解決するためのコンピュータ実行可能コードを記憶するコンピュータ可読記録媒体であって、
現在のセルから新しいセルへの再選択をトリガするためのコードと、
前記新しいセルへの再選択がトリガされたとき、ユーザ機器(UE)が下りアクセスチャネル(FACH)状態に構成されており、ネットワークエンティティからのレイヤ2確認応答(L2 ACK)メッセージを待っていると判定するためのコードと、
前記UEが前記FACH状態に構成されており、前記L2 ACKメッセージを待っているとの前記判定に応じて、衝突解決手順を実施するためのコードであって、前記衝突解決手順が、再構成手順に対して複数の情報要素(IE)のうちのどれを選択すべきかを確立する、コードと
を含むコンピュータ可読記録媒体。
【発明の詳細な説明】
【技術分野】
【０００１】
米国特許法第119条に基づく優先権の主張
本特許出願は、本出願の譲受人に譲渡され、本明細書に参照により明確に組み込まれる、2016年1月26日に出願された「RESOLVING CONFLICTING CONFIGURATION PARAMETERS BETWEEN CELL RECONFIGURATION AND CELL RESELECTION PROCEDURES」と題する米国非仮特許出願第15/006,700号、および2015年4月23日に出願された「RESOLVING CONFLICTING CONFIGURATION PARAMETERS BETWEEN CELL RECONFIGURATION AND CELL RESELECTION PROCEDURES」と題する米国特許仮出願第62/151,859号に対する優先権を主張するものである。
【０００２】
本開示の態様は、一般に、ワイヤレス通信システムに関し、より詳細には、ワイヤレス通信中に競合する構成パラメータを解決することに関する。
【背景技術】
【０００３】
ワイヤレス通信ネットワークは、電話、ビデオ、データ、メッセージング、ブロードキャストなど、様々な通信サービスを提供するために広く展開されている。通常は多元接続ネットワークであるそのようなネットワークは、利用可能なネットワークリソースを共有することによって、複数のユーザに対する通信をサポートする。そのようなネットワークの一例は、UMTS地上波無線アクセスネットワーク(UTRAN)である。UTRANは、第3世代パートナーシッププロジェクト(3GPP)によりサポートされる第3世代(3G)モバイルフォン技術であるユニバーサルモバイルテレコミュニケーションシステム(UMTS)の一部として定義された無線アクセスネットワーク(RAN)である。モバイル通信用グローバルシステム(GSM(登録商標))技術の後継であるUMTSは、現在、広帯域符号分割多元接続(W-CDMA)、時分割符号分割多元接続(TD-CDMA)、および時分割同期符号分割多元接続(TD-SCDMA)などの様々なエアインターフェース規格をサポートしている。UMTSはまた、高速パケットアクセス(HSPA)など、拡張型3Gデータ通信プロトコルをサポートし、それは、関連するUMTSネットワークに対して、より高速のデータ転送速度および容量を提供する。
【０００４】
ユーザ機器(UE)は、現在のセル(たとえば、基地局などのワイヤレスネットワークアクセスポイントのセルラー電話送受信機によりカバーされる地理的エリア)を介してネットワークに接続され得る。当然ながら、UEは、これだけに限らないがセルのロードバランシング、セル信号品質の減少、セルカバレージエリアの範囲外への物理的な移動などを含むいくつかの理由のうちのいずれか1つまたは複数の理由により、現在のセルからセルを変更する必要があり得る。その結果、ネットワークは、現在のセルから新しいセルへと再構成するようにUEに知らせることができる。しかし、通常のシグナリング手順の一部として、UEは、再選択手順をトリガさせることもでき、その結果、セルの更新手順と、再構成手順との間に競合する構成パラメータが存在する可能性がある。たとえば、3GPP仕様TS25.331は、共通の構成パラメータがある場合に、どの構成パラメータ(たとえば、情報要素(IE: information element))を構成すべきかを指定しておらず、それにより、UEはネットワークとの同期ずれ状態を生ずる可能性がある。
【発明の概要】
【発明が解決しようとする課題】
【０００５】
したがって、ワイヤレス通信中の競合する構成パラメータの解決を向上させることが望まれている。
【課題を解決するための手段】
【０００６】
以下では、1つまたは複数の態様に関して、そのような態様の基本的な理解を提供するために簡略化された要約を提示するものである。この要約は、すべての企図される態様の広範囲な概要ではなく、またすべての態様の主要もしくは重要な要素を識別すること、または任意のもしくはすべての態様の範囲を正確に説明することを意図するものではない。その唯一の目的は、以降で示されるより詳細な説明の前置きとして、簡略化された形で1つまたは複数の態様のいくつかの概念を提示することである。
【０００７】
一態様によれば、本方法は、ワイヤレス通信中に競合する構成パラメータを解決することに関する。述べられる態様は、現在のセルから新しいセルへの再選択をトリガすることを含む。述べられる態様は、新しいセルへの再選択がトリガされたとき、UEが下りアクセスチャネル(FACH: forward access channel)状態に構成されており、ネットワークエンティティからのレイヤ2確認応答(L2 ACK)メッセージを待っていると判定することをさらに含む。述べられる態様は、UEがFACH状態に構成されており、L2 ACKメッセージを待っているとの判定に応じて、衝突解決手順を実施することをさらに含み、衝突解決手順が、再構成手順に対して複数の情報要素(IE)のうちのどれを選択すべきかを確立する(establish)。
【０００８】
別の態様では、コンピュータ実行可能コードを記憶する本コンピュータ可読媒体は、ワイヤレス通信中に競合する構成パラメータを解決することに関する。述べられる態様は、現在のセルから新しいセルへの再選択をトリガするためのコードを含む。述べられる態様は、新しいセルへの再選択がトリガされたとき、UEがFACH状態に構成されており、ネットワークエンティティからのL2 ACKメッセージを待っていると判定するためのコードをさらに含む。述べられる態様は、UEがFACH状態に構成されており、L2 ACKメッセージを待っているとの判定に応じて、衝突解決手順を実施するためのコードをさらに含み、衝突解決手順が、再構成手順に対して複数のIEのうちのどれを選択すべきかを確立する。
【０００９】
さらなる態様では、本装置は、ワイヤレス通信中に競合する構成パラメータを解決することに関する。述べられる態様は、現在のセルから新しいセルへの再選択をトリガするための手段を含む。述べられる態様は、新しいセルへの再選択がトリガされたとき、UEがFACH状態に構成されており、ネットワークエンティティからのL2 ACKメッセージを待っていると判定するための手段をさらに含む。述べられる態様は、UEがFACH状態に構成されており、L2 ACKメッセージを待っているとの判定に応じて、衝突解決手順を実施するための手段をさらに含み、衝突解決手順は、複数のIEのうちのどれを再構成手順に対して選択すべきかを確立する。
【００１０】
別の態様では、本装置は、ワイヤレス通信中に競合する構成パラメータを解決することに関する。述べられる態様は、データを記憶するように構成されたメモリと、メモリと通信可能に結合された1つまたは複数のプロセッサとを含み、1つまたは複数のプロセッサおよびメモリは、現在のセルから新しいセルへの再選択をトリガするように構成される。述べられる態様は、UEが、新しいセルへの再選択がトリガされたとき、FACH状態に構成されており、ネットワークエンティティからのL2 ACKメッセージを待っているとさらに判定する。述べられる態様は、UEがFACH状態に構成され、L2 ACKメッセージを待っているとの判定に応じて衝突解決手順をさらに実施し、衝突解決手順は、複数のIEのうちのどれを再構成手順に対して選択すべきかを確立する。
【００１１】
本開示の様々な態様および特徴が、添付図面で示されたその様々な例を参照して以下でさらに詳細に述べられる。本開示は、様々な例を参照して以下で述べられるが、本開示は、それに限定されないことを理解されたい。本明細書の教示にアクセスできる当業者であれば、本明細書で述べられる本開示の範囲に含まれ、かつそれに関して本開示が著しい実用性があり得るさらなる実装形態、変更形態、および例、ならびに他の使用分野を理解されよう。
【００１２】
添付図面は、本開示の様々な態様の記述を支援するために提示され、かつ諸態様を限定するためのものではなく、単に例示するために提供される。図面は、同様の要素に対して同様の参照数字を含み、また破線を用いて、任意選択の構成要素もしくはアクションを表すことができる。
【図面の簡単な説明】
【００１３】
【図１】競合する構成パラメータを解決する態様を有するユーザ機器を含む通信ネットワークの概略図である。
【図２】図1のユーザ機器により実行され得る競合する構成パラメータを解決するための方法の態様の流れ図である。
【図３】本開示の様々な態様に従って競合する構成パラメータを解決するための態様を示す図である。
【図４】本開示の様々な態様に従って競合する構成パラメータを解決するための態様を示す図である。
【図５】本開示の様々な態様に従って競合する構成パラメータを解決するための態様を示す図である。
【発明を実施するための形態】
【００１４】
添付図面に関して以下で述べられる詳細な説明は、様々な構成の説明として意図されており、本明細書で述べられる概念を実施できる唯一の構成を表すようには意図されていない。詳細な説明は、様々な概念の十分な理解を提供するために、具体的な詳細を含んでいる。しかし、当業者であれば、これらの概念は、これらの具体的な詳細なしでも実施できることは明らかであろう。いくつかの例では、よく知られた構成要素が、そのような概念を曖昧にすることを回避するためにブロック図形式で示されている。一態様では、本明細書で使用される場合、「プロセッサ」という用語は、ハードウェア、ファームウェア、および/またはソフトウェアとすることができ、また他のプロセッサへと分割することができる。
【００１５】
本開示は、競合する構成パラメータを解決するための向上させた、または改良された装置および/または手順を提供する。具体的には、本態様は、再構成手順が保留状態にあるときにセル再選択がトリガされた場合、構成に関連する情報要素(IE)を選択するためのUE挙動を定義する。たとえば、UEが、いくつかの条件(たとえば、セルのロードバランシング、セル信号品質の減少、セルカバレージエリアの範囲外への物理的な移動など)のうちのいずれかに起因して、現在のセルからセルを変更することが必要になったとき、再選択手順がUEによりトリガされ得る。再選択手順は、セル更新手順を実施させて、UEは、新しい構成パラメータを含むセル更新確認メッセージを受信することになる。同時に、UEは、たとえば、UEは、現在、下りアクセスチャネル(FACH)状態にあり、かつネットワークエンティティからのレイヤ2確認応答(L2 ACK)メッセージを待っているなど、再構成手順を実施している最中である可能性がある(たとえば、L2 ACKメッセージは、再構成手順の一部として、UEからの再構成完了メッセージを受信したことに応じて、ネットワークエンティティから送信される)。しかし、従来の解決策においては、UEは、セル更新確認メッセージおよび再構成メッセージにおける競合する共通の情報要素(IE)に起因して、再構成手順を完了した後、ネットワークとの同期がずれた状態になる可能性がある。言い換えれば、ネットワークは、UEが1組の構成パラメータ(たとえば、IE)に関連付けられた1つのセルと通信するものと予想するが、UEは、異なるセルに関連付けられた異なる組の構成パラメータ(たとえば、IE)を(または両方のセルに共通であるIEに対して少なくとも異なる値を)使用している可能性がある。UEが、セル更新確認メッセージ、および再構成メッセージのいずれかから、正しくないIEを使用した場合、再構成メッセージを提供した後、これは、ネットワークとの同期ずれを生ずる可能性があり、無線リンク制御(RLC)の回復不能なエラー、および潜在的なパケット交換呼廃棄を生ずる可能性がある。
【００１６】
したがって、本方法および装置は、ワイヤレス通信中に競合する構成パラメータ(たとえば、IE)を解決するために、衝突解決手順を実施する。したがって、いくつかの態様では、本方法および装置は、たとえば、UEが、いくつかのシナリオにおいて再構成手順を完了するために使用する正しい構成パラメータを適正に決定することを可能にするために、現在の解決策と比較して効率的な解決策を提供することができる。
【００１７】
図1を参照すると、一態様では、ワイヤレス通信システム100は、ネットワーク126へのアップリンク送信のための比較的少量の集中的なデータを有するユーザ機器(UE)112と、1つまたは複数のプロセッサ120と、メモリ125と、UE112が下りアクセス状態(CELL_FACH状態)にある間に再選択および再構成手順を制御し、かつ衝突解決手順中にIE間の競合を解決できる、プロセッサ120およびメモリ125により実行可能な解決構成要素130と、を含む。たとえば、UE112は、UE112が、ネットワークエンティティ113から再構成メッセージを受信したとき、CELL_FACH状態にあるが、ネットワークエンティティ113によりサービスされる第1のセルに留まることができる。再構成メッセージは、解決構成要素130を、再構成手順をトリガするために再構成手順構成要素138にアクセスするように構成することができる。ネットワークエンティティ113、115、および/または117は、無線アクセス技術(RAT)タイプ(たとえば、W-CDMAまたはLTEなど)、および/またはネットワークの構成に応じて、基地局、無線ネットワークコントローラ(RNC)、またはモバイル管理エンティティ(MME)とすることができる。
【００１８】
一態様では、UE112は、ネットワークエンティティ113によりサービスされる第1のセルにおいてCELL_FACH状態にあるように構成されており、ダウンリンク(DL)チャネル122でネットワークエンティティ113から再構成メッセージ114を受信することができる。たとえば、再構成メッセージ114は、アンテナ102、無線周波数(RF)フロントエンド104、およびRF送受信機106を介して受信することができ、それは、再構成メッセージ114を、1つまたは複数のバス135を介してプロセッサ120および/またはメモリ125へと転送し、最終的にレイヤ3(L3)エンティティ、たとえば、UE112のプロトコルスタックにおける無線リソース制御(RRC)プロトコルレイヤエンティティへと転送され得る。たとえば、例では、再構成メッセージ114は、UE112を第2のセル(たとえば、ネットワークエンティティ115によりサービスされる新しいセルなど)へとリダイレクトする、たとえば、1つまたは複数の再構成手順構成情報要素(IE)137の形態の1つまたは複数の構成パラメータなど、構成情報を含むことができる。たとえば、第2のセルは、周波数情報、およびプライマリ共通パイロットチャネル(CPICH)情報を含む再構成手順構成IE137により決定することができる。再構成メッセージ114はまた、UE112をセル物理チャネル(CELL_PCH)状態に構成するために1つまたは複数の再構成手順構成IE137を含むことができる。再構成メッセージ114はまた、これだけに限らないが、無線ネットワーク一次識別子(RNTI: radio network temporary identifier)など、1つまたは複数の再構成手順構成IE137を含むことができる。解決構成要素130および/または再構成手順構成要素138は、ネットワークエンティティ113から再構成メッセージ114を受信すると、再構成手順を開始するように構成することができる。
【００１９】
一態様では、解決構成要素130および/または再構成手順構成要素138は、たとえば、RRCプロトコルレイヤエンティティなどのL3エンティティを介するなど、UE112に、再構成完了メッセージをレイヤ2(L2)エンティティに送信させることができる。そのような態様では、レイヤ3エンティティおよびレイヤ2エンティティは、それぞれ、これだけに限らないが、レイヤ1(L1)または物理(PHY)レイヤエンコーダ/デコーダ、レイヤ2(L2)または媒体アクセス制御(MAC)レイヤエンコーダ/デコーダ、およびレイヤ3(L3)またはRRCレイヤエンコーダ/デコーダなど、通信プロトコルの各レイヤに対応することができる。たとえば、受信した通信を処理するために、各それぞれのデコーダエンティティは、所与のプロトコル手順およびフォーマットに従って、復号された、または処理されたデータ(たとえば、通信情報)を次のデコーダエンティティに渡す。そのような態様においては、レイヤ1は、復号された、または処理された通信情報を、後続する処理/復号のためにレイヤ2に渡すことができる。L2エンティティは、次いで、再構成完了メッセージを、ULチャネル123を介して、第1のセルのネットワークエンティティ113に送信することができる。UE112は、次いで、再構成完了メッセージの送信に応じて、ネットワークエンティティ113からのL2確認応答(L2 ACK)メッセージ(たとえば、それがCELL_PCH状態遷移をトリガできる、またはトリガした可能性がある)を待つことができる。しかし、UE112がL2 ACKメッセージを待っている間に、L1エンティティが、解決構成要素130および/または再選択手順構成要素136を、再選択手順をトリガするように構成することができる。たとえば、例では、L1エンティティは、再選択手順をトリガするために、ネットワークエンティティ115によりサービスされる第2のセル、またはネットワークエンティティ117によりサービスされる異なる第3のセルなどの新しいセルを識別する再選択指示を、RRCエンティティに送信することができる。その後、UE112は、ネットワークエンティティ115によりサービスされる第2のセル、またはネットワークエンティティ117によりサービスされる第3のセルに対応する再選択/セル更新構成IE139を含むセル更新確認メッセージ124を受信することができる。言い換えれば、再選択/セル更新構成IE139は、再構成手順構成IE137と同じとすることができるが、あるいは異なることもあり得る。
【００２０】
本態様によれば、解決構成要素130および/または衝突解決手順構成要素140は、たとえば、セル更新確認メッセージ124における再選択/セル更新構成IE139と、再構成メッセージ114における再構成手順構成IE137との間になど、存在する可能性のあるIE間の何らかの競合を解決するために、衝突解決手順を実施するように構成され得る。本態様においては、再構成メッセージ114により識別されたセルと必ずしも同じではない可能性のある再選択指示、および後続するセル更新確認メッセージ124で識別されたセルに応じて、衝突解決手順により選択されるIEは異なる可能性がある。したがって、衝突解決手順のために、考慮すべきいくつかのシナリオが存在する。
【００２１】
一態様では、再選択指示メッセージは、UE112を第2のセル(たとえば、ネットワークエンティティ115によりサービスされる新しいセル)に再選択するための情報を含むことができる。たとえば、第1のシナリオの例では、解決構成要素130および/または衝突解決手順構成要素140は、再選択手順がトリガされると、再構成メッセージを保留にすることができる。次いで、UE112 RRCは、再選択手順の一部として、セル更新メッセージをネットワークエンティティ113に送信することができる。セル更新メッセージは、再構成手順が進行中であることを示すために真(TRUE)に設定された再構成状態インジケータ(RSI: reconfiguration status indicator)を含むことができる。さらにセル更新メッセージは、第2のセル(たとえば、ネットワークエンティティ115)への再選択を示す情報を含むことができる。ネットワークエンティティ113は、UE112からセル更新メッセージを受信したことに応じて、セル更新確認メッセージを送信することができる。たとえば、一例では、セル更新確認メッセージ124は、前に受信された最初の再構成メッセージ114に含まれた再構成手順構成IE137とは異なる再選択/セル更新構成IE139を含むことができる。たとえば、セル更新確認メッセージ124に含まれるIEは、再構成メッセージ114に含まれる第1の組のRTNIとは異なる第2の組のRTNIに対応することができる。セル更新確認メッセージ124を送信した後、L2 ACKメッセージが次いで、ネットワークエンティティ113により送信され得る。例では、L2 ACKメッセージを、L2エンティティに送信することができ、それは次いで、L2 ACKメッセージをRRCエンティティに転送することができる。
【００２２】
したがって、再選択手順と再構成手順との間に競合するIEが存在する。たとえば、例では、衝突解決手順構成要素140または解決構成要素130により実行される衝突解決手順は、再構成手順に対するセル更新確認メッセージ124に含まれる再選択/セル更新構成IE139を、第2のセル(たとえば、ネットワークエンティティ115)に適用することを含むことができる。したがって、UE112は、保留にされていた再構成メッセージに基づいて動作し、第2のセルへと移動するが、再構成メッセージ114に含まれていた第1の組のRNTI(たとえば、再構成手順構成IE137)に代えて、セル更新確認メッセージ124に含まれていた第2の組のRNTI(たとえば、再選択/セル更新構成IE139)を適用することができる。任意選択で、再構成手順が完了した後、UE112、解決構成要素130、および/または再選択手順構成要素136は、第2のセルに対するネットワークエンティティ(たとえば、ネットワークエンティティ115)に、第2の組のRNTI(たとえば、再選択/セル更新構成IE139)を含む追加のセル更新メッセージを送信することができ、追加のセル更新メッセージのRSIは偽(FALSE)に設定される。
【００２３】
さらなる態様では、再選択指示メッセージは、UE112を第3のセル(たとえば、ネットワークエンティティ117によりサービスされる新しいセル)へと再選択する、またはリダイレクトするための情報を含むことができる。たとえば、第2のシナリオの例では、解決構成要素130および/または衝突解決手順構成要素140は、再選択手順がトリガされると、再構成メッセージを保留にすることができる。次いで、RRCエンティティは、再選択手順の一部として、セル更新メッセージを、ネットワークエンティティ113に送信することができる。セル更新メッセージは、再構成手順が進行中であることを示すために真に設定されたRSIを含むことができる。さらにセル更新メッセージは、第3のセル(たとえば、ネットワークエンティティ117)への再選択またはリダイレクトを示す情報を含むことができる。
【００２４】
ネットワークエンティティ113は、UE112からセル更新メッセージを受信したことに応じて、セル更新確認メッセージ124を送信することができる。たとえば、例において、セル更新確認メッセージ124は、前に受信した最初の再構成メッセージに含まれているIEとは異なるIEを含むことができる。たとえば、セル更新確認メッセージ124に含まれるIEは、再構成メッセージ114に含まれる第1の組のRNTI(たとえば、再構成手順構成IE137)とは異なる第2の組のRTNI(たとえば、再選択/セル更新構成IE139)に対応することができる。L2 ACKメッセージは、次いで、セル更新確認メッセージ124の送信後、ネットワークエンティティ113により送信することができる。例では、L2 ACKメッセージは、L2エンティティに送信することができ、それは次いで、L2 ACKメッセージをRRCエンティティに転送することができる。
【００２５】
したがって、再選択手順と再構成手順との間に競合するIEが存在する。たとえば、例では、衝突解決手順構成要素140または解決構成要素130により実行される衝突解決手順は、再構成手順に対する再構成メッセージに含まれるIEを第2のセル(たとえば、ネットワークエンティティ115)に適用することを含むことができる。したがって、UE112は、保留にされた再構成メッセージに従って動作し、第2のセルへと移動するが、セル更新確認メッセージ124に含まれていた第2の組のRNTI(たとえば、再選択/セル更新構成IE139)に代えて、再構成メッセージ114に含まれていた第1の組のRNTI(たとえば、再構成手順構成IE137)を適用することができる。任意選択で、UE112、解決構成要素130、および/または再選択手順構成要素136は、第1の組のRNTI(たとえば、再構成手順構成IE137)を含む追加のセル更新メッセージを、追加のセル更新メッセージのRSIを偽に設定して、第3のセルに対するネットワークエンティティ115に送信することができる。
【００２６】
別の態様では、再選択指示メッセージはまた、UE112を第3のセル(たとえば、ネットワークエンティティ117によりサービスされる新しいセル)へと再選択する、またはリダイレクトするための情報を含むことができる。たとえば、第3のシナリオの例では、解決構成要素130および/または衝突解決手順構成要素140は、再選択手順がトリガされると、再構成メッセージを保留にすることができる。次いで、RRCエンティティは、再選択手順の一部として、セル更新メッセージをネットワークエンティティ113に送信することができる。セル更新メッセージは、再構成手順が進行中であることを示すために、真に設定されたRSIを含むことができる。さらに、セル更新メッセージは、第3のセル(たとえば、ネットワークエンティティ117)への再選択またはリダイレクトを示す情報を含むことができる。
【００２７】
ネットワークエンティティ113は、UE112からセル更新メッセージを受信したことに応じて、セル更新確認メッセージを送信することができる。たとえば、例では、セル更新確認メッセージは、前に受信した最初の再構成メッセージに含まれたIEとは異なるIEを含むことができる。たとえば、セル更新確認メッセージに含まれるIEは、再構成メッセージに含まれる第1の組のRNTIとは異なる第2の組のRNTIに対応することができる。L2 ACKメッセージは、次いで、セル更新確認メッセージを送信した後、ネットワークエンティティ113により送信され得る。例では、L2 ACKメッセージは、L2エンティティに送信することができ、それは、次いで、L2 ACKメッセージをRRCエンティティに転送することができる。
【００２８】
したがって、再選択手順と再構成手順との間には競合するIEが存在する。たとえば、例では、衝突解決手順は、第3のセル(たとえば、ネットワークエンティティ117)のセル品質が、第2のセル(たとえば、ネットワークエンティティ115)のセル品質よりも優れているかどうかを判定することができる。判定の結果、衝突解決手順は、第3のセル(たとえば、ネットワークエンティティ117)のセル品質が、第2のセル(たとえば、ネットワークエンティティ115)のセル品質よりも優れているとき、再構成手順に対するセル更新確認メッセージに含まれるRNTIを第3のセル(たとえば、ネットワークエンティティ117)に適用すること、または第3のセル(たとえば、ネットワークエンティティ117)のセル品質が、第2のセル(たとえば、ネットワークエンティティ115)のセル品質よりも優れていないとき、再構成手順に対する再構成メッセージに含まれるRNTIを第2のセル(たとえば、ネットワークエンティティ115)に適用することのいずれかを含むことができる。たとえば、解決構成要素130および/または衝突解決手順構成要素140が、第3のセル(たとえば、ネットワークエンティティ117)のセル品質は、第2のセル(たとえば、ネットワークエンティティ115)のセル品質よりも優れていると判定した場合、解決構成要素130および/または再構成手順構成要素138が、保留された再構成メッセージを第3のセルへと移動させ終えて、セル更新確認メッセージに含まれているRNTIを使用することができる。
【００２９】
さらに、衝突解決手順構成要素140または解決構成要素130により実行される衝突解決手順は、第3のセル(たとえば、ネットワークエンティティ117)のセル品質が、第2のセル(たとえば、ネットワークエンティティ115)のセル品質よりも優れているかどうかの判定に基づき、再構成メッセージ114に含まれるRNTI、またはセル更新確認メッセージ124に含まれるRNTIのいずれかを含む追加のセル更新メッセージを、追加のセル更新メッセージのRSIを偽に設定して、ネットワークエンティティに送信することを含むことができる。
【００３０】
さらに、一態様では、UE112は、たとえば、ネットワークエンティティ113、またはネットワークエンティティ115、またはネットワークエンティティ117のうちの1つまたは複数と交換されるワイヤレス通信信号などの無線送信を受信および送信するためのRFフロントエンド104および送受信機106を含むことができる。一態様では、送受信機106は、少なくとも1つの送信機132および少なくとも1つの受信機134を含むことができる。さらにたとえば、送受信機106は、各ネットワークエンティティから、パイロット信号(たとえば、共通パイロットチャネル(CPICH))を含む信号を受信することができる。送受信機106は、信号品質を判定するために、またサービスするネットワークエンティティ14にフィードバックを提供して、たとえば、再選択手順および/または再構成手順を開始するために、受信したパイロット信号を測定することができる。たとえば、送受信機106は、特に再構成メッセージ114およびセル更新確認メッセージ124など、再構成手順構成要素138、または再選択手順構成要素136、または解決構成要素130のうちの1つまたは複数により生成されたメッセージを送信する、またはそれらに対して受信されたメッセージを受信するために、モデム108と通信することができる。
【００３１】
RFフロントエンド104は、1つまたは複数のアンテナ102に接続することができ、またRF信号を送信および受信するために、1つまたは複数の低雑音増幅器(LNA)141、1つまたは複数のスイッチ142、143、1つまたは複数の電力増幅器(PA)145、および1つまたは複数のフィルタ144を含むことができる。一態様では、RFフロントエンド104の構成要素は、送受信機106に接続することができる。送受信機106は、1つまたは複数のモデム108およびプロセッサ120に接続することができる。
【００３２】
一態様では、LNA141は、受信信号を望ましい出力レベルに増幅することができる。一態様では、各LNA141は、指定された最小および最大の利得値を有することができる。一態様では、RFフロントエンド104は、特定の用途に対する望ましい利得に基づいて特定のLNA141、およびその指定された利得値を選択するために、1つまたは複数のスイッチ142、143を使用することができる。
【００３３】
さらに、たとえば、1つまたは複数のPA145は、RFフロントエンド104により使用されて、RF出力に対する信号を、望ましい出力電力レベルに増幅することができる。一態様では、各PA145は、指定された最小および最大の利得値を有することができる。一態様では、RFフロントエンド104は、1つまたは複数のスイッチ143、146を使用して、特定の用途に対する望ましい利得値に基づき、特定のPA145およびその指定された利得値を選択することができる。
【００３４】
また、たとえば、1つまたは複数のフィルタ144がRFフロントエンド104により使用されて、受信信号をフィルタし、入力RF信号を得ることができる。同様に、一態様では、たとえば、それぞれのフィルタ144は、それぞれのPA145からの出力をフィルタし、送信用の出力信号を生成するために使用することができる。一態様では、各フィルタ144は、特定のLNA141および/またはPA145に接続することができる。一態様では、RFフロントエンド104は、送受信機106および/またはプロセッサ120により指定された構成に基づき、指定されたフィルタ144、LNA141、および/またはPA145を用いて、送信経路または受信経路を選択するために、1つまたは複数のスイッチ142、143、146を使用することができる。
【００３５】
送受信機106は、ワイヤレス信号を、RFフロントエンド104を経由し、アンテナ102を介して送信および受信するように構成することができる。一態様では、送受信機106は、UE112が、たとえば、ネットワークエンティティ113、ネットワークエンティティ115、またはネットワークエンティティ117と通信できるように、指定された周波数で動作するように調整することができる。一態様では、たとえば、モデム108は、UE112のUE構成、およびモデム108により使用される通信プロトコルに基づき、送受信機106を指定された周波数および電力レベルで動作するように構成することができる。
【００３６】
一態様では、モデム108は、マルチバンド-マルチモードのモデムとすることができ、それは、デジタルデータを処理し、かつ送受信機106と通信することができ、したがって、デジタルデータは、送受信機106を用いて送信および受信される。一態様では、モデム108は、マルチバンドとすることができ、また特定の通信プロトコルに対して複数の周波数帯をサポートするように構成され得る。一態様では、モデム108は、マルチモードとすることができ、また複数の動作ネットワークおよび通信プロトコルをサポートするように構成され得る。一態様では、モデム108は、指定されたモデム構成に基づき、ネットワークからの信号を送信および/または受信できるように、UE112の1つまたは複数の構成要素(たとえば、RFフロントエンド104、送受信機106)を制御することができる。一態様では、モデム構成は、モデムのモード、および使用される周波数帯に基づくことができる。別の態様では、モデム構成は、セル選択および/もしくはセル再選択手順、ならびに/または再構成手順中に、ネットワークにより提供される、UE112に関連付けられた、たとえば、再構成手順構成IE137、および再選択/セル更新構成IE139など、UE構成情報に基づくことができる。
【００３７】
UE112は、本明細書で使用されるデータおよび/またはアプリケーションのローカルバージョンを記憶するためなどのメモリ125、または再構成手順構成要素138、もしくは再選択手順構成要素136、もしくは解決構成要素130のうちの1つまたは複数、および/またはプロセッサ120により実行されるそれらのそれぞれの下位の構成要素のうちの1つまたは複数をさらに含むことができる。メモリ125は、ランダムアクセスメモリ(RAM)、読取り専用メモリ(ROM)、テープ、磁気ディスク、光ディスク、揮発性メモリ、不揮発性メモリ、およびそれらの任意の組合せなど、コンピュータもしくはプロセッサ120によって使用可能な任意のタイプのコンピュータ可読媒体を含むことができる。一態様では、たとえば、メモリ125は、UE112が、プロセッサ120に、再構成手順構成要素138、または再選択手順構成要素136、または解決構成要素130のうちの1つもしくは複数、および/またはそれらのそれぞれの下位の構成要素のうちの1つまたは複数を実行させるように動作しているとき、再構成手順構成要素138、または再選択手順構成要素136、または解決構成要素130のうちの1つもしくは複数、および/またはそれらのそれぞれの下位の構成要素のうちの1つもしくは複数、および/またはそれに関連するデータを定義する1つまたは複数のコンピュータ実行可能コードを記憶するコンピュータ可読記憶媒体とすることができる。別の態様では、たとえば、メモリ125は、非一時的なコンピュータ可読記憶媒体とすることができる。
【００３８】
図2を参照すると、UE112(図1)などのUEは、ワイヤレス通信中に競合する構成パラメータを解決するための方法200の態様を実施するように動作可能な1つまたは複数のプロセッサ120および/またはメモリ125を含むことができる。一態様では、たとえば、方法200は、再構成手順構成要素138、または再選択手順構成要素136、または解決構成要素130のうちの1つまたは任意の組合せを実行することにより実施することができる。説明を簡単にするために、方法は、一連の行為(act)として示され、かつ述べられているが、方法は、行為の順序により限定されることはなく、1つまたは複数の実施形態によれば、いくつかの行為は、本明細書で示され、かつ述べられたものとは異なる順序で、かつ/または他の行為と同時に行うことができることを理解され、かつ認識されたい。たとえば、方法は、状態図など、一連の相互に関係のある状態またはイベントとして代替的に表され得ることも理解されたい。さらに、例示されたすべての行為が、本明細書で述べられる1つまたは複数の特徴に従って方法を実施するために必要ではない可能性もある。
【００３９】
一態様では、ブロック202で、方法200は、現在のセルから新しいセルへの再選択をトリガすることを含むことができる。たとえば、一態様では、UE112、解決構成要素130、および/または再選択手順構成要素136が、現在のセル(たとえば、ネットワークエンティティ113)から新しいセル(たとえば、ネットワークエンティティ115によりサービスされるセル、またはネットワークエンティティ117によりサービスされるセルのいずれかなど)への再選択をトリガすることができる。たとえば、例では、再選択は、L1エンティティからUE112のRRCエンティティで再選択指示メッセージを受信したことに応じてトリガされ得る。
【００４０】
一態様では、ブロック204で、方法200は、新しいセルへの再選択がトリガされたとき、UEが下りアクセスチャネル(FACH)状態に構成されており、ネットワークエンティティからのレイヤ2確認応答(L2 ACK)メッセージを待っているかどうかを判定することを含むことができる。たとえば、一態様では、UE112、解決構成要素130、および/または再構成手順構成要素138は、新しいセル(たとえば、ネットワークエンティティ115によりサービスされるセル、またはネットワークエンティティ117によりサービスされるセルのいずれかなど)への再選択がトリガされたとき(たとえば、それはCELL_PCH状態遷移をトリガできる、またはトリガした可能性がある)、UE112が、FACH状態に構成されており、ネットワークエンティティ113からのL2 ACKメッセージを待っているかどうかを判定することができる。たとえば、例では、UE112および/または解決構成要素130は、再構成手順が、ネットワークエンティティ113から再構成メッセージを受信したのに応じて再構成手順構成要素138によりトリガされたとき、FACH状態に構成され得る。
【００４１】
一態様では、ブロック206で、方法200は、UEがFACH状態に構成されており、L2 ACKメッセージを待っているとの判定に応じて、衝突解決手順を実施することを含むことができる。たとえば、一態様では、UE112、解決構成要素130、および/または衝突解決手順構成要素140は、UE112がFACH状態に構成されており、L2 ACKメッセージを待っているとの判定に応じて、衝突解決手順を実施することができる。たとえば、例として、衝突解決手順は、再構成手順に対して複数のIEのうちのどれを選択すべきかを確立する。
【００４２】
たとえば、第1のシナリオでは、衝突解決手順を実施することは、新しいセル(このシナリオでは、たとえば、ネットワークエンティティ115によりサービスされるセル)が再選択をトリガする前に、ネットワークエンティティ113から受信した再構成メッセージに含まれていることを確立することを含むことができる。さらに、衝突解決手順は、再構成手順に対するセル更新確認メッセージに含まれる新しいセルのIEを新しいセル(たとえば、ネットワークエンティティ115)に適用することを含むことができる。セル更新確認メッセージは、再選択のトリガに応じて、ネットワークエンティティ113から前に受信されたものである。任意選択で、UE112、解決構成要素130、および/または再選択手順構成要素136は、新しいセルのIEを含む追加のセル更新メッセージを、追加のセル更新メッセージの再構成状態インジケータ(RSI)を偽に設定して、新しいセルに対するネットワークエンティティ(たとえば、ネットワークエンティティ115)に送信することができる。
【００４３】
たとえば、第2のシナリオでは、衝突解決手順を実施することは、再選択をトリガする前に、ネットワークエンティティ113から受信した再構成メッセージに、新しいセル(このシナリオでは、たとえば、ネットワークエンティティ117によりサービスされるセル)が含まれないことを確立することを含むことができる。いくつかの例では、たとえば、再構成メッセージは、新しいセル(このシナリオでは、ネットワークエンティティ117によりサービスされるセル)、および現在のセル(たとえば、ネットワークエンティティ113)とは異なる第3のセル(このシナリオでは、たとえば、ネットワークエンティティ115によりサービスされるセル)を含む。さらに衝突解決手順は、再構成手順に対する再構成メッセージに含まれた第3のセルのIEを、第3のセル(たとえば、ネットワークエンティティ117によりサービスされるセル)に適用することを含むことができる。任意選択で、UE112、解決構成要素130、および/または再選択手順構成要素136は、第3のセルのIEを含む追加のセル更新メッセージを、追加のセル更新メッセージのRSIを偽に設定して、第3のセルに対するネットワークエンティティ115に送信することができる。
【００４４】
たとえば、第3のシナリオでは、衝突解決手順を実施することは、再選択をトリガする前に、ネットワークエンティティ113から受信した再構成メッセージに、新しいセル(このシナリオでは、たとえば、ネットワークエンティティ117によりサービスされるセル)が含まれていないことを確立することを含むことができる。いくつかの例では、たとえば、再構成メッセージは、新しいセル(たとえば、ネットワークエンティティ117によりサービスされるセル)、および現在のセル(たとえば、ネットワークエンティティ113によりサービスされるセル)とは異なる第3のセル(たとえば、ネットワークエンティティ115によりサービスされるセル)を含む。さらに衝突解決手順は、新しいセル(たとえば、ネットワークエンティティ117によりサービスされるセル)のセル品質が、第3のセル(たとえば、ネットワークエンティティ115によりサービスされるセル)のセル品質よりも優れているかどうかを判定することを含むことができる。
【００４５】
判定の結果として、衝突解決手順は、新しいセル(たとえば、ネットワークエンティティ117によりサービスされるセル)のセル品質が、第3のセル(たとえば、ネットワークエンティティ115によりサービスされるセル)のセル品質よりも優れているとき、再構成手順に対するセル更新確認メッセージに含まれる新しいセルのIEを新しいセル(たとえば、ネットワークエンティティ117によりサービスされるセル)に適用すること、または新しいセル(たとえば、ネットワークエンティティ117によりサービスされるセル)のセル品質が、第3のセル(たとえば、ネットワークエンティティ115によりサービスされるセル)のセル品質よりも優れていないとき、再構成手順に対する再構成メッセージに含まれる第3のセルのIEを、第3のセル(たとえば、ネットワークエンティティ115によりサービスされるセル)に適用することのいずれかを含むことができる。さらに衝突解決手順は、新しいセル(たとえば、ネットワークエンティティ117によりサービスされるセル)のセル品質が、第3のセル(たとえば、ネットワークエンティティ115によりサービスされるセル)のセル品質よりも優れているかどうかの判定に基づき、新しいセルのIE、または第3のセルのIEのいずれかを含む追加のセル更新メッセージを、追加のセル更新メッセージのRSIをFALSEに設定して、ネットワークエンティティに送信することを含むことができる。
【００４６】
一態様では、ブロック208で、方法200は、任意選択で、衝突解決手順を実施しながら、通常通り再構成手順を実施することを含む。たとえば、一態様では、UE112、解決構成要素130、および/または再構成手順構成要素138は、再選択がトリガされたとき、UE112が、FACH状態に構成されておらず、かつ/またはL2 ACKメッセージを待っていないという判定に基づき、衝突解決手順を実施しながら、通常通り再構成手順を実施することができる。
【００４７】
図3〜図5を参照すると、動作において、シグナリングチャート300、400、および500は、それぞれ、UE(たとえば、UE112、図1)とネットワーク(たとえば、ネットワーク126、図1)との間のワイヤレス通信中に競合する構成パラメータを解決するためのシグナリングを示している。いくつかの態様では、シグナリングチャートは、UEに対応するRRCレイヤ/エンティティ、レイヤ2(L2)、およびレイヤ1(L1)の間のシグナリングを示している。UEは、ワイヤレス通信システム100(図1)などのワイヤレス通信システム内に位置することができる。UEは、UE112(図1)などのUEに対応することができ、また解決構成要素130を実行するように構成されたプロセッサ120などの1つまたは複数のプロセッサ、および/またはメモリ125(図1)を含むことができる。
【００４８】
具体的には、シグナリングチャート300、400、および500は、UE112のターゲット状態/セル、および/または前に受信されたメッセージに基づき、再構成メッセージ114、または再選択/セル更新確認メッセージ124(図1)の一方または両方から、UE112による競合するIEのターゲット化された選択を示している。UE112のターゲット状態/セル、および/または前に受信されたメッセージに基づき、衝突または競合するIEを選択的に識別することにより、UE112は、より正確な情報を利用する(たとえば、正確に競合するIEを識別する)ことができる。
【００４９】
たとえば、シグナリングチャート300は、UE112が、前のセルで再構成されているが、それにもかかわらず、再構成メッセージ114(図1)に含まれた新しいセルへと再選択するシナリオを示している。さらに、たとえば、シグナリングチャート400は、UE112が前のセルにおいて再構成されているが、それにもかかわらず、再構成メッセージ114(図1)に含まれていなかった別の新しいセルへと再選択するシナリオを示している。さらに、たとえばシグナリングチャート500は、UE112が、前のセルで再構成されていたが、それにもかかわらず、同じもしくは同様のRNCに関連付けられた別の新しいセルへと再選択し、新しいRNCリダイレクト情報は再構成メッセージ114(図1)に含まれるシナリオを示している。したがって、例示的なシナリオは、再構成メッセージ114(図1)および再選択/セル更新確認メッセージ124(図1)が、衝突/競合している例を示している。
【００５０】
さらに、シグナリングチャート300、400、および500は、2つのメッセージ間の衝突/競合(再)構成パラメータを解決することを提供する。たとえば、シグナリングチャート300に関して、UE112は、再選択/セル更新確認メッセージ124(図1)から1つまたは複数のRNTIを選択することができるが、UE112は、再構成メッセージ114(図1)を処理した後、セルBに留まることができ、再選択/セル更新確認メッセージ124(図1)は、セルBに対する1つまたは複数のRNTIを提供するネットワーク126からの最後のメッセージであり得る。いくつかの態様では、UE112は、RSIをゼロに設定した状態でセル更新を実施し、UE112とネットワーク126との間で(たとえば、1つまたは複数のRNTIおよび他の競合するパラメータに関して)適正な同期化を保証するようにセル再選択をトリガする。さらに、シグナリングチャートは、CRNTI/URNTI IEに限定されることはなく、再構成メッセージ114(図1)が保留になっている(たとえば、ネットワーク情報、HRNTIおよびERNTI)とき、再選択/セル更新確認メッセージ124(図1)において構成され得るすべての共通のIEに適用できることを理解されたい。
【００５１】
説明を簡単化するために、本明細書におけるステップは、一連の行為として示され、かつ記述されるが、ステップは、行為の順序により限定されず、いくつかの行為は、1つまたは複数の態様によれば、本明細書で示されかつ述べられたものとは異なる順序で、かつ/または他の行為と同時に行うことができることを理解され、かつ認識されたい。たとえば、ステップは、代替的に、状態図におけるなど、一連の相互に関係する状態またはイベントとして表すことも可能であることを理解されたい。さらに、示されたすべての行為が、本明細書で述べられた1つまたは複数の特徴によるステップを実施するために必要ではない可能性がある。
【００５２】
シグナリングチャート300である図3を参照すると、一態様では、312で、UE112は、RRCエンティティ304において、CELL_FACH状態でセルAのカバレージ範囲内で動作することができる。314で、RRCエンティティ304は、ネットワーク310から再構成メッセージを受信することができる。たとえば、再構成メッセージは、UE112を第2のセル、セルB(たとえば、別のネットワークエンティティによりサービスされる新しいセル)へとリダイレクトする情報を含むことができる。再構成メッセージはまた、UE112をCELL_PCH状態に構成するための情報、およびセルBに対応する第1の組のRNTIを含むことができる。316で、RRCエンティティ304は、再構成完了メッセージをL2エンティティ306に送信することができ、それは、次いで、再構成完了メッセージをネットワーク126に転送することができる。318で、L1エンティティ308は、再選択指示318をRRCエンティティ304に送信し、セルBへの再選択手順をトリガすることができる。
【００５３】
したがって、320で、再構成メッセージは、再選択手順がトリガされると保留にされ得る。322で、再選択手順の一部として、RRCエンティティ304は、セルBへのセル再選択を示すセル更新メッセージをネットワーク126に送信することができ、かつ再構成手順が進行中であることを示すために、真に設定されたRSIを含むことができる。それに応じて、324で、ネットワーク126は、第2の組のRNTIを含むセル更新確認メッセージを、RRCエンティティ304に送信することができる。しかし、一態様では、第2の組のRNTIは、314における再構成メッセージの一部として受信された第2の組のRNTIとは異なる可能性がある。326で、ネットワーク310は、任意選択で、セル更新確認メッセージの送信後、L2 ACKメッセージを送信することができる。L2 ACKメッセージは、L2エンティティ306に送信することができ、それは次いで、L2 ACKメッセージをRRCエンティティ304に転送することができる。次いで、328で、UE112は、保留にされていた再構成メッセージに従って動作し、セルBへと移動する(たとえば、再選択する)が、セル更新確認メッセージで提供されたRNTIを適用することができる。
【００５４】
いくつかの任意選択の態様では、再構成手順の完了後、330で、RRCエンティティ304は、偽に設定されたRSIを含み、かつ(324で受信された)前のセル更新確認メッセージからのRNTIを有するセル更新メッセージをネットワーク126に送信することができる。332で、ネットワーク126は、新しい組のRNTIを有するセル更新確認を、RRCエンティティ304に送信することができる。
【００５５】
シグナリングチャート400である図4を参照すると、一態様では、UE112は、RRCエンティティ404において、CELL_FACH状態にあり、セルAのカバレージ範囲内で動作することができる。シグナリングチャート400は、UE112が、再構成メッセージ114(図1)から1つまたは複数のRNTIを選択することができ、UE112は、再構成メッセージ114(図1)の処理の後に、セルCへとリダイレクトすることができ、また再構成メッセージ114(図1)が、ネットワーク126からの最後のメッセージである態様を示している。
【００５６】
414で、RRCエンティティ404は、ネットワーク126から再構成メッセージを受信することができる。たとえば、再構成メッセージは、UE402を、第2のセルであるセルB(たとえば、別のネットワークエンティティによりサービスされる新しいセル)へとリダイレクトする情報を含むことができる。再構成メッセージはまた、UE112を、CELL_PCH状態に構成するための情報、およびセルBに対応する第1の組のRNTIを含むことができる。416で、RRCエンティティ404は、再構成完了メッセージをL2エンティティ406に送信することができ、それは次いで、再構成完了メッセージをネットワーク410に転送することができる。418で、L1エンティティ408は、セルCへの再選択手順をトリガするために、再選択指示418をRRCエンティティ404に送信することができる。
【００５７】
したがって、420で、再構成メッセージは、再選択手順がトリガされると保留にされ得る。再選択手順の一部として、422で、RRCエンティティ404は、セルCへのセル再選択を示すセル更新メッセージをネットワーク126に送信することができ、かつ再構成手順が進行中であることを示すために、真に設定されたRSIを含むことができる。それに応じて、424で、ネットワーク126は、第2の組のRNTIを含むセル更新確認メッセージをRRCエンティティ404に送信することができる。しかし、一態様では、第2の組のRNTIは、414で再構成メッセージの一部として受信された第1の組のRNTIとは異なる可能性がある。426で、ネットワーク126は、任意選択で、セル更新確認メッセージの送信後、L2 ACKメッセージを送信することができる。L2 ACKメッセージは、L2エンティティ406に送信することができ、それは次いで、L2 ACKメッセージをRRCエンティティ404に転送することができる。次いで、428で、UE112は、保留にされていた再構成メッセージに従って動作し、セルBに移動する(たとえば、再選択する)が、再構成メッセージにおいて提供されたRNTIを適用することができる。
【００５８】
シグナリングチャート500である図5を参照すると、一態様では、RRCエンティティ504においてUE502は、CELL_FACH状態でセルAのカバレージ範囲内で動作することができる。シグナリングチャート500は、UE112が、再構成メッセージ114(図1)内のリダイレクト情報を無視し、または考慮することなく、かつRNC1のセルC(たとえば、RNC2のセルBと比較して良好なセルであると識別されたもの)として再構成を適用した後、セル更新をトリガすることができ、それは、さらなる再選択を回避する結果になり得る態様を示している。当然であるが、いくつかの態様では、再構成メッセージ114(図1)からのリダイレクト情報は、RNC2のセルBがRNC1のセルCよりも良好である場合、またはリダイレクトされたセルが異なる周波数に属している、もしくは関連付けられている場合、それに従って実行される、または動作され得る。
【００５９】
514で、RRCエンティティ504は、ネットワーク126から再構成メッセージを受信することができる。たとえば、再構成メッセージは、UE112を、第2のセルであるセルB(たとえば、別のネットワークエンティティによりサービスされる新しいセル)にリダイレクトさせる情報を含むことができる。再構成メッセージはまた、UE112を、CELL_PCH状態に構成するための情報、およびセルBに対応する第1の組のRNTIを含むことができる。516で、RRCエンティティ504は、再構成完了メッセージをL2エンティティ506に送信することができ、それは次いで、再構成完了メッセージをネットワーク126に転送することができる。518で、L1エンティティ508は、セルCへの再選択手順をトリガするために、再選択指示518をRRCエンティティ504に送信することができる。
【００６０】
したがって、520で、再構成メッセージは、再選択手順がトリガされると保留にすることができる。再選択手順の一部として、522で、RRCエンティティ504は、セルCへのセル再選択を示すセル更新メッセージをネットワーク126に送信し、また再構成手順が進行中であることを示す真に設定されたRSIを含むことができる。それに応じて、524で、ネットワーク126は、第2の組のRNTIを含むセル更新確認メッセージをRRCエンティティ504に送信することができる。しかし、一態様では、第2の組のRNTIは、514における再構成メッセージの一部として受信した第1の組のRNTIとは異なる可能性がある。526で、ネットワーク126は、任意選択で、セル更新確認メッセージの送信後、L2 ACKメッセージを送信することができる。L2 ACKメッセージは、L2エンティティ506に送信することができ、それは次いで、L2 ACKメッセージをRRCエンティティ504に転送することができる。次いで、528で、UE112は、保留にされていた再構成メッセージに従って動作し、セルBへと移動する(たとえば、再選択する)が、リダイレクト情報は無視することができる。
【００６１】
その結果、UE112は、セルBのセル品質が、セルCのセル品質よりも優れているかどうかを判定することができる。いくつかの態様では、UE112は、セルBのセル品質がセルCのセル品質よりも優れているとき、再構成手順に対するセル更新確認メッセージに含まれたRNTIを、セルBに対する適用することができる。他の態様では、UE112は、セルBのセル品質がセルCのセル品質よりも優れていないとき、再構成手順に対する再構成メッセージに含まれたRNTIを、セルCに適用することができる。さらに、RRCエンティティ504は、セルBのセル品質がセルCのセル品質よりも優れているかどうかの判定に基づき、セルBまたはセルCのいずれかに対応するRNTIを含む追加のセル更新メッセージをネットワーク126に送信することができる。追加のセル更新メッセージのRSIは偽に設定される。
【００６２】
本出願で使用される場合、「構成要素」、「機能」、「プロセス」、「システム」という用語、および同様のものは、これだけに限らないが、ハードウェア、ファームウェア、ハードウェアとソフトウェアの組合せ、ソフトウェア、または実行中のソフトウェアなど、コンピュータに関連するエンティティを含むように意図されている。たとえば、構成要素は、これだけに限らないが、専用にプログラムされたプロセッサモジュール、プロセッサ上で動作するプロセスとして実行可能な記憶された論理もしくは命令もしくはコード、プロセッサ、オブジェクト、実行ファイルを定義する記憶された論理もしくは命令もしくはコード、実行スレッドを定義する記憶された論理もしくは命令もしくはコード、アプリケーションもしくはプログラム、および/またはコンピュータとすることができる。例として、コンピューティングデバイス上で動作するアプリケーションとコンピューティングデバイスの両方は、構成要素とすることができる。1つまたは複数の構成要素が、構成要素内に常駐することができ、また構成要素は、1つのコンピュータ上に局所化することができるが、かつ/または2つ以上のコンピュータ間で分散させることもできる。さらにこれらの構成要素は、様々なデータ構造を記憶させた様々なコンピュータ可読媒体から実行することができる。構成要素は、ローカルシステム、分散システムにおける別の構成要素と、かつ/または信号などによりインターネットなどのネットワークを介して他のシステムと対話する1つの構成要素からのデータなどの1つまたは複数のデータパケットを有する信号によるものなど、通信可能に結合されたローカルおよび/または遠隔の構成要素によって通信することができる。
【００６３】
さらに、様々な態様が、有線端末またはワイヤレス端末とすることのできる端末に関連して本明細書で述べられている。端末はまた、システム、デバイス、加入者ユニット、加入者局、移動局、モバイル、モバイルデバイス、遠隔局、遠隔端末、アクセス端末、ユーザ端末、端末、通信デバイス、ユーザエージェント、ユーザデバイス、またはユーザ機器(UE)と呼ぶことができる。ワイヤレス端末は、セルラー電話、衛星電話、コードレス電話、セッション開始プロトコル(SIP)電話、ワイヤレスローカルループ(WLL)局、携帯情報端末(PDA)、ワイヤレス接続機能を有するハンドヘルドデバイス、コンピューティングデバイス、またはワイヤレスモデムに接続された他の処理デバイスとすることができる。さらに基地局に関連して、様々な態様が本明細書で述べられている。基地局は、ワイヤレス端末と通信するために利用することができ、またアクセスポイント、ノードB、または何らかの他の用語で呼ぶことができる。
【００６４】
チューンアウェイに関連付けられた改良された測定イベント報告メッセージのいくつかの態様が、W-CDMAシステムを参照して提示されてきた。当業者であれば容易に理解されるように、本開示を通して述べられた様々な態様は、他の電気通信システム、ネットワークアーキテクチャ、および通信規格へと拡張することができる。
【００６５】
例として、RACHプリアンブル送信に関連して本明細書で述べられた様々な態様は、他のUMTS、および/またはLTE、および/または専用チャネルを確立する(たとえば、下りアクセスチャネル(CELL_FACH)状態中に)には適していない送信すべき集中的なデータをUEが有する他のシステムへと拡張することができる。たとえば、そのようなUMTSシステムは、TD-SCDMA、高速ダウンリンクパケットアクセス(HSDPA)、高速アップリンクパケットアクセス(HSUPA)、高速パケットアクセスプラス(HSPA+)、およびTD-CDMAを含むことができる。さらに、そのようなLTEおよび/または他のシステムは、ロングタームエボリューション(LTE)(FDD、TDD、または両方のモードで)、LTEアドバンスト(LTE-A)(FDD、TDD、または両方のモードで)、CDMA2000、エボリューションデータオプティマイズド(EV-DO)、ウルトラモバイルブロードバンド(UMB)、IEEE802.11(Wi-Fi)、IEEE802.16(WiMAX)、IEEE802.20、ウルトラワイドバンド(UWB)、Bluetooth(登録商標)、および/または他の適切なシステムを含むことができる。実際の電気通信規格、ネットワークアーキテクチャ、および/または使用される通信規格は、特定の適用例およびシステムに課される全体的な設計制約に依存する。
【００６６】
本開示の様々な態様によれば、要素もしくは要素の任意の部分、または要素の任意の組合せは、1つまたは複数のプロセッサを含む「処理システム」を用いて実施することができる。プロセッサの例は、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示を通して述べられた様々な機能を実施するように構成された他の適切なハードウェアを含む。処理システムにおける1つまたは複数のプロセッサは、ソフトウェアを実行することができる。ソフトウェアは、ソフトウェア、ファームウェア、ミドルウェア、マイクロコード、ハードウェア記述言語、またはその他の形で呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。ソフトウェアは、コンピュータ可読媒体上に常駐することができる。コンピュータ可読媒体は、非一時的なコンピュータ可読媒体とすることができる。非一時的なコンピュータ可読媒体は、例として、磁気記憶デバイス(たとえば、ハードディスク、フロッピー(登録商標)ディスク、磁気帯)、光ディスク(たとえば、コンパクトディスク(CD)、デジタル多用途ディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、取外し可能ディスク、ならびにソフトウェアおよび/コンピュータによりアクセスされ、かつ読み取ることのできる命令を記憶するための任意の他の適切な媒体を含む。コンピュータ可読媒体は、処理システム中に常駐する、処理システムに対して外部にある、または処理システムを含む複数のエンティティにわたって分散させることができる。コンピュータ可読媒体は、コンピュータ
プログラム製品において実施することができる。例として、コンピュータプログラム製品は、パッケージング材料にコンピュータ可読媒体を含むことができる。当業者であれば、特定の適用例およびシステム全体に課される全体的な設計制約に応じて、本開示を通して提示された述べられた機能を実施するにはどのようにするのが最適であるかを理解されよう。
【００６７】
開示された方法におけるステップの特定の順序または階層は、例示的なプロセスを示すものと理解されたい。設計上の選好に基づき、方法におけるステップの特定の順序または階層は、再配置できることを理解されたい。添付の方法クレームは、サンプル的順序で様々なステップの要素を提示するものであり、特に記載がない限り、提示された特定の順序または階層に限定されることを意味するものではない。
【００６８】
前の記述は、いずれかの当業者が、本明細書で述べられた様々な態様を実施できるようにするために提供される。これらの態様に対する様々な変更は、当業者には容易に明らかになるはずであり、本明細書で定義される一般的な原理を、他の態様に適用することもできる。したがって、特許請求の範囲は、本明細書で示された諸態様に限定されるようには意図されておらず、特許請求の範囲の文言と矛盾しないすべての範囲に一致すべきであり、ここで、単数形の要素への参照は、特にそのように述べられていない限り、「唯一無二の」を意味するのではなく、「1つまたは複数の」を意味するように意図されている。その他の形で特に述べられない限り、「いくつかの」という用語は、1つまたは複数を指す。項目のリスト「のうちの少なくとも1つ」を指す句は、単一の部材を含む、これらの項目の任意の組合せを指す。例として、「a、b、またはcのうちの少なくとも1つ」は、a、b、c、aおよびb、aおよびc、bおよびc、ならびにa、b、およびcを含むことが意図されている。当業者に知られている、または後に知られるようになる、本開示を通して述べられた様々な態様の要素に対するすべての構造的かつ機能的等価物は、参照により本明細書に明確に組み込まれ、また特許請求の範囲により包含されるように意図されている。さらに、本明細書で開示されるものはいずれも、そのような開示が特許請求の範囲に明示的に記載されているかどうかにかかわらず、公共に供されるようには意図されていない。請求項のどの構成要件も、その構成要件が、「〜ための手段」という句を用いて明確に記載されることのない限り、または方法クレームの場合、構成要件が、「〜ためのステップ」という句を用いて記載されることのない限り、米国特許法第112(f)の規定の下に解釈されるべきではない。
【符号の説明】
【００６９】
100  ワイヤレス通信システム
102  アンテナ
104  RFフロントエンド
106  RF送受信機/送受信機
108  モデム
112  ユーザ機器
113  ネットワークエンティティ
114  再構成メッセージ
115  ネットワークエンティティ
117  ネットワークエンティティ
120  プロセッサ
122  ダウンリンク(DL)チャネル
123  ULチャネル
124  再選択/セル更新確認メッセージ
125  メモリ
126  ネットワーク
130  解決構成要素
132  受信機
134  送信機
135  バス
136  再選択手順構成要素
137  再構成手順構成情報要素
138  再構成手順構成要素
139  再選択/セル更新構成IE
140  衝突解決手順構成要素
141  低雑音増幅器(LNA)
142  スイッチ
143  スイッチ
144  フィルタ
145  電力増幅器(PA)
146  スイッチ
200  方法
300  シグナリングチャート
304  RRCエンティティ
306  L2エンティティ
308  L1エンティティ
310  ネットワーク
314  再構成メッセージ
316  再構成完了メッセージ
318  再選択指示
322  セル更新メッセージ
324  セル更新確認メッセージ
326  L2 ACKメッセージ
330  セル更新メッセージ
332  セル更新確認メッセージ
400  シグナリングチャート
404  RRCエンティティ
406  L2エンティティ
408  L1エンティティ
414  再構成メッセージ
416  再構成完了メッセージ
418  再選択指示
422  セル更新メッセージ
424  セル更新確認メッセージ
426  L2 ACKメッセージ
500  シグナリングチャート
504  RRCエンティティ
506  L2エンティティ
508  L1エンティティ
514  再構成メッセージ
516  再構成完了メッセージ
518  再選択指示
522  セル更新メッセージ
524  セル更新確認メッセージ
526  L2 ACKメッセージ
【図１】
2018517335.tif 000003
【図２】
2018517335.tif 000004
【図３】
2018517335.tif 000005
【図４】
2018517335.tif 000006
【図５】
2018517335.tif 000007
【国際調査報告】
2018517335.tif 000008
2018517335.tif 000009
2018517335.tif 000010